(57)【要約】【課題】  コイルと、磁石体と、ゼンマイと、タイヤとから構成される小型発電機のため、小型でありながら、ゼンマイの強力な戻り力により発電させるため、必要な電力を得ることができ、防犯センサーとして十分使用できる小型発電機及び小型発電機付防犯センサー並びに防犯窓を提供する。【解決手段】  コイルと、回転する磁石体と、ゼンマイと、回転するタイヤとから構成されることを特徴とする小型発電機。【選択図】図１
2009207343.tif 000002
【特許請求の範囲】
【請求項１】
コイルと、回転する磁石体と、ゼンマイと、回転するタイヤとから構成されることを特徴とする小型発電機。
【請求項２】
前記小型発電機に発信器を設けてなることを特徴とする請求項１記載の小型発電機付防犯センサー。
【請求項３】
窓に、前記小型発電機付防犯センサーを設けてなることを特徴とする防犯窓。
【請求項４】
窓の窓枠に、小型発電機のタイヤを回転させ、ゼンマイを巻くと共に、ゼンマイを開放するための溝を形設してなるレールを設けてなることを特徴とする請求項３記載の防犯窓。
【発明の詳細な説明】
【技術分野】
【０００１】  本発明は、タイヤの回転にてゼンマイを巻き、自動的にタイヤへの負荷を解除させることにより発電させる小型発電機及び小型発電機付防犯センサー並びに防犯窓に関するものである。
【背景技術】
【０００２】  従来の技術として、回転をフライホイールへ伝達する第１の輪列機構に対して、逆回転を発生する第２の輪列機構を並列に構成し、２つの輪列機構からの回転を同一のフライホイールの両端面にそれぞれ伝達する。フライホイール両端面は、常に同一方向に回転するようにキャビティが形成された構成とする。また監視システムは、１次検出部に本発明の回転慣性保持発電機を用い、また従来技術では言及しない健康監視目的のシステム構成を実現するための判定と制御のアルゴリズムを用いるものがある。（特許文献１参照）【０００３】  また、別の従来技術として、建物の窓や、扉等の開閉体内に、自己発電可能で、かつ、送信機能を備えたモジュールを内蔵させ、上記モジュールの発電部は、上記開閉体の開閉に伴う振動により自己発電可能に構成されていると共に、上記モジュールの送信部は、上記開閉体の開作動と閉作動の別を判別して、該開閉体の開閉状態を、該開閉体の外部に配設された受信器へと自動的に送信するように取付けられていることを特徴とする建物の開閉体がある。（特許文献２参照）
【特許文献１】  特開２００５−２４５１８９号公報
【特許文献２】  特開２００４−９２１２１号公報
【発明の開示】
【発明が解決しようとする課題】
【０００４】  上記前者において、フライホイールを備えた発電機を有してなるもので、必然的にある程度の大きさと重さを必要とするため、どうしても大きさ（重さ）があり、取り付け場所等が限定される。
また、ゆっくり窓を開けた場合、フライホイールが期待する回転を得られない場合がある。【０００５】  上記後者においては、ドアや窓の開閉検知と無線送信を行うための電力として、ドアや窓開閉の振動で剛球と圧電素子が衝突して発生する電力を利用している。ところが、圧電素子に生じる電圧は、圧電素子の形状、材質に関する項を除くと印加される応力にのみ決定される。一方圧電素子に印加される応力は剛球の質量と剛球の圧電素子に対する相対速度で決定される。剛球の密度が一定であるとすれば、圧電素子に生じる電圧は剛球の体積とモジュールサイズによって決まる、といえるため一定の電力を獲得するためにはモジュールサイズに制約があり、小型化には適さない、という問題がある。【０００６】  本発明は、このような従来の構成が有していた問題を解決しようとするもので、コイルと、磁石体と、ゼンマイと、タイヤとから構成される小型発電機のため、小型でありながら、ゼンマイの強力な戻り力により発電させるため、必要な電力を得ることができ、防犯センサーとして十分使用できる小型発電機及び小型発電機付防犯センサー並びに防犯窓を提供することを目的とする。
【課題を解決するための手段】
【０００７】  本発明は、上記の目的を達成するため、コイルと、回転する磁石体と、ゼンマイと、回転するタイヤとから構成される。
前記小型発電機に発信器を設けてなる。
窓に、前記小型発電機付防犯センサーを設けてなる。
窓の窓枠に、小型発電機のタイヤを回転させ、ゼンマイを巻くと共に、ゼンマイを開放するための溝を形設してなるレールを設けてなることを特徴とする。
【発明の効果】
【０００８】１）、小型発電機において、コイルと磁石体とゼンマイとタイヤとの構成により、タイヤが回転することにより、ゼンマイが巻かれ、タイヤを開放した時点でゼンマイが自動的に巻き戻り、磁石体が回転し、よってコイルにて発電するもので、短時間に所要の電力を得ることができる。
２）、小型発電機付防犯センサーとして小型発電機を使用し、発信器を作動させることにより確実に受信器に信号を送信することができる。
３）、防犯窓において小型発電機付防犯センサーを設けることにより、窓の開閉をチェックすることができ、防犯効果が高い。
４）、防犯窓において、溝付のレールを設けることにより、タイヤの回転及び開放を制御でき、確実に小型発電機を作動させることができる。
【発明の実施するための最良の形態】
【０００９】  １は、小型発電機である。
２は、コイルである。
３は、回転する磁石体で、回転板３ａの内側両側に永久磁石３ｂを突設してなる。
４は、ゼンマイで、渦巻状に形成してある。
５は、ゴム製等によるタイヤで、上記磁石体３と上記ゼンマイ４と連動（連結）してなるものである。
【００１０】  つぎに、上記小型発電機１を使用してなる小型発電機付防犯センサーについて説明する。
小型発電機付防犯センサー２１は、前記小型発電機１のコイル２２の端子に発信器６を設けてなるもので、ケース７内に磁石体２３及びゼンマイ２４を入れ、タイヤ２５のみケース７の上部外へ突設してある。
【００１１】  つぎに、小型発電機付防犯センサー２１を窓に取り付けてなる防犯窓を説明する。
この防犯窓３１は、窓Ｍ１・Ｍ２の上端に小型発電機付防犯センサー２１・２１を取り付けると共に、窓枠ＭＹの上端に、所要間隔にて溝８ａを複数形設してなるレール８を設けてなる。（溝８ａと交互に凸部８ｂを構成する。）
【００１２】  この防犯窓３１の使用例として、例えば外からの侵入者（図示せず）が窓Ｍ１を壊して窓Ｍ１をスライドさせたとき、小型発電機付防犯センサー２１のタイヤ２５がレール８の凸部８ｂに接触するため左回転し、ゼンマイ２４が巻かれる。
この状態で、最初のレール８の溝８ａにタイヤ２５が来たとき、タイヤ２５が開放され、巻かれたゼンマイ２４が戻る力により磁石体２３が急回転し、コイル２２にて発電させ、発信器６より信号を発信Ｈし、受信器Ｚが受信することにより異常を周囲に知らせると共に、必要に応じてモバイル機器ＭＢにも知らせることができるものである。
【００１３】窓Ｍ１をさらに開いたとき、レール８の次の凸部８ｂに接触し、同様に次の溝８ａにて発電するもので２度発信することもできる。
【００１４】  なお、上記実施例において、コイルの巻き数、磁石の磁力、ゼンマイの巻き数や大きさ、タイヤの大きさ等は必要とする電力によって決めればよく、限定するものではない。
【図面の簡単な説明】
【００１５】
【図１】本発明の小型発電機の平面図。
【図２】本発明の小型発電機の要部の正面図。
【図３】本発明の小型発電機付防犯センサーの要部の平面図。
【図４】本発明の小型発電機付防犯センサーの正面図。
【図５】本発明の防犯窓の正面図。
【図６】本発明の防犯窓の作動状態図。
【符号の説明】
【００１６】１−−−小型発電機
２−−−コイル
３−−−磁石体
３ａ−−回転板
３ｂ−−永久磁石
４−−−ゼンマイ
５−−−タイヤ
６−−−発信器
７−−−ケース
８−−−レール
８ａ−−溝
８ｂ−−凸部
Ｍ−−−窓
ＭＹ−−窓枠
Ｈ−−−発信
Ｚ−−−受信器
ＭＢ−−モバイル機器
【図１】
2009207343.tif 000003
【図２】
2009207343.tif 000004
【図３】
2009207343.tif 000005
【図４】
2009207343.tif 000006
【図５】
2009207343.tif 000007
【図６】
2009207343.tif 000008